(57)【要約】【課題】引込み装置の受部の位置を容易に調整できる引込み装置用位置調整治具を提供する。【解決手段】引込み装置用位置調整治具５１は、枠１及び開き戸２のいずれか一方に取り付けられる受部４と、枠１及び開き戸２の他方に取り付けられ、引き出された状態から引込み状態まで回転して受部４を引き込むアーム５を有する引込み装置本体３と、を備える引込み装置に用いられる。引込み装置用位置調整治具５１は、引込み装置本体３に位置決めされる本体部５２と、本体部５２からアーム５の引出し方向に突出し、アーム５が受部４を引き込めるように受部４を位置決めするための位置決め部５５を有する突出部５４と、を備える。【選択図】図９
2014202054.tif 000002
【特許請求の範囲】
【請求項１】
枠及び開き戸のいずれか一方に取り付けられる受部と、枠及び開き戸の他方に取り付けられ、引き出された状態から引込み状態まで回転して受部を引き込むアームを有する引込み装置本体と、を備える引込み装置に用いられる引込み装置用位置調整治具であって、
引込み装置本体に位置決めされる本体部と、
前記本体部からアームの引出し方向に突出し、アームが受部を引き込めるように受部を位置決めするための位置決め部を有する突出部と、を備える引込み装置用位置調整治具。
【請求項２】
前記位置決め部は、受部の形状に合わせた位置決め凹部からなることを特徴とする請求項１に記載の引込み装置用位置調整治具。
【請求項３】
前記突出部は、アームが受部を引き込めるように受部を枠及び開き戸のいずれか一方の上下方向に位置決めするための上下方向位置決め部を有することを特徴とする請求項１又は２に記載の引込み装置用位置調整治具。
【請求項４】
前記突出部は、受部が嵌められる嵌合部を有し、
前記引込み装置用位置調整治具を引込み装置本体から外した状態で、前記嵌合部に受部を嵌め、前記引込み装置用位置調整治具を枠及び開き戸のいずれか一方に突き当てることによって、枠及び開き戸のいずれか一方に受部を奥行き方向に位置決めできることを特徴とする請求項１ないし３のいずれかに記載の引込み装置用位置調整治具。
【請求項５】
前記本体部には、ボス又は凹部が設けられ、
引込み装置のアーム及びアーム以外の部分のそれぞれには、前記本体部の前記ボスに嵌まる凹部又は前記本体部の前記凹部に嵌まるボスが設けられ、
前記本体部は、アームが引込み状態の引込み装置本体に位置決めされることを特徴とする請求項１ないし４のいずれかに記載の引込み装置用位置調整治具。
【請求項６】
請求項１ないし５のいずれかに記載の引込み装置用位置調整治具と、
枠及び開き戸のいずれか一方に取り付けられる受部と、
引き出された状態から引込み状態まで回転して前記受部を引き込むアームを有する引込み装置本体と、を備える引込み装置ユニット。
【発明の詳細な説明】
【技術分野】
【０００１】
本発明は、引込み装置の受部の位置を調整するための引込み装置用位置調整治具及び引込み装置ユニットに関する。
【背景技術】
【０００２】
建築物又は家具の開き戸を引き込む引込み力を発生させる引込み装置が知られている（特許文献１参照）。引込み装置は、枠及び開き戸のいずれか一方に取り付けられる受部と、枠及び開き戸の他方に取り付けられる引込み装置本体と、を備える。引込み装置本体には、引き出された状態から引込み状態まで回転して受部を引き込むアームが設けられる。引き出された状態のアームが受部に係合する（例えばアームの溝に受部の軸が嵌まる、又はアームの軸に受部の溝が嵌まると）と、アームが引込み方向に回転し、受部を引き込む。引込み装置本体の内部には、引込み力を発生させるコイルばねが設けられる。
【０００３】
ところで、枠及び開き戸のいずれか一方に受部を取り付けるとき、受部が引き出された状態のアームに係合する位置に受部の位置を調整する必要がある。引き出された状態のアームに受部が係合しなければ、引込み装置が正常に動作できなくなるからである。従来の受部の位置調整方法は、開き戸を閉じ方向に少しずつ回転させて引き出された状態のアームを受部に近づけ、アームの先端の位置と受部の位置を見比べ、アームの先端に受部が係合するように受部の位置を調整することで行われていた。
【先行技術文献】
【特許文献】
【０００４】
【特許文献１】国際公開第２０１１−０２１６３０号
【発明の概要】
【発明が解決しようとする課題】
【０００５】
しかし、従来の受部の位置調整方法にあっては、引き出された状態のアームが受部に当たってしまい、アームが引込み状態まで回転してしまうことがある。アームが引込み状態まで回転してしまうと、受部をどの位置に位置決めしていいのかわからなくなる。このため、引込み状態のアームを再び引き出す必要があるが、引込み装置本体の内部のコイルばねの弾性力は強く、引込み状態のアームを再び引き出すためには、大きな力を必要とする。このように従来の受部の位置調整方法には、施工性が悪いという課題がある。
【０００６】
そこで本発明は、引込み装置の受部の位置を容易に調整できる引込み装置用位置調整治具を提供することを目的とする。
【課題を解決するための手段】
【０００７】
上記課題を解決するために、本発明の一態様は、枠及び開き戸のいずれか一方に取り付けられる受部と、枠及び開き戸の他方に取り付けられ、引き出された状態から引込み状態まで回転して受部を引き込むアームを有する引込み装置本体と、を備える引込み装置に用いられる引込み装置用位置調整治具であって、引込み装置本体に位置決めされる本体部と、前記本体部からアームの引出し方向に突出し、アームが受部を引き込めるように受部を位置決めするための位置決め部を有する突出部と、を備える引込み装置用位置調整治具である。
【発明の効果】
【０００８】
本発明によれば、引込み装置用位置調整治具を引込み装置本体に位置決めし、位置決め部で受部を位置決めすれば、アームが引き込める位置に受部を位置決めすることができる。受部の位置決めにあたって、引き出されたアームが受部にあたって引き込み状態になることがないので、施工性が向上する。
【図面の簡単な説明】
【０００９】
【図１】枠に開閉可能に取り付けられる開き戸を示す斜視図
【図２】開き戸に埋め込まれる引込み装置本体の斜視図
【図３】枠に取り付けられる受座の斜視図
【図４】引込み装置本体の水平断面図
【図５】引込み装置本体の動作図（図５（ａ）はアームの引込み状態を示し、図５（ｂ）はアームが引き出される方向に回転した状態を示し、図５（ｃ）はアームが引き出された状態を示す）
【図６】受座の詳細図を示す（図６（ａ）は受座の側面図を示し、図６（ｂ）は垂直断面図を示し、図６（ｃ）は底面図を示し、図６（ｄ）は化粧カバーを取り付けた受座の底面図を示す）
【図７】本発明の一実施形態の引込み装置用位置調整治具の斜視図
【図８】本実施形態の引込み装置用位置調整治具の詳細図（図８（ａ）は引込み装置用位置調整治具の平面図、図８（ｂ）は正面図、図８（ｃ）は底面図、図８（ｄ）は左側面図、図８（ｅ）は右側面図を示す）
【図９】本実施形態の引込み装置用位置調整治具を引込み装置本体に位置決めする段階を示す工程図
【図１０】本実施形態の引込み装置用位置調整治具を引込み装置本体に位置決めした状態を示す図（図１０（ａ）は図１０（ｃ）のａ−ａ線断面図を示し、図１０（ｂ）は図１０（ｃ）のｂ−ｂ線断面図を示し、図１０（ｃ）は平面図を示す）
【図１１】本実施形態の引込み装置用位置調整治具を引込み装置本体に位置決めした段階を示す工程図
【図１２】本実施形態の引込み装置用位置調整治具を受座軸に近づけた段階を示す工程図
【図１３】受座軸を間口方向に位置決めした段階を示す工程図（枠の下から見た図）
【図１４】受座軸を上下方向に位置決めした段階を示す工程図（枠を水平方向から見た状態）
【図１５】本実施形態の引込み装置用位置調整治具を引込み装置本体から取り外した段階を示す工程図
【図１６】本実施形態の引込み装置用位置調整治具の嵌合部を受座軸に嵌めた段階を示す工程図
【図１７】本実施形態の引込み装置用位置調整治具を枠の突き当てに突き当てた段階を示す工程図（枠の下から見た図）
【図１８】本実施形態の引込み装置用位置調整治具を枠の突き当てに突き当てた段階を示す詳細な工程図（図１８（ａ）は枠の下から見た図であり、図１８（ｂ）は図１８（ａ）のｂ−ｂ線断面図である）
【発明を実施するための形態】
【００１０】
以下添付図面に基づいて本発明の一実施形態における引込み装置用位置調整治具（以下、単に位置調整治具という）を詳細に説明する。まず、本実施形態の位置調整治具が用いられる引込み装置を説明する。
【００１１】
図１は、枠１に開閉可能に取り付けられる開き戸２を示す。引込み装置は、枠１に取り付けられる受部としての受座軸４と、開き戸２に取り付けられる引込み装置本体３（図２参照）と、を備える。引込み装置本体３は、引き出された状態から引込み状態まで回転して受座軸４を引き込むアーム５を備える。引き込み装置は引込み機能とダンパ機能を有し、開き戸２を閉じるときの衝撃をやわらげ、ゆっくりと確実に開き戸２が閉まるようにする。
【００１２】
図２に示すように、引込み装置本体３は、開き戸２の上部に埋め込まれ、開き戸２の間口方向に細長い直方体形状に形成される。開き戸２の上部には、引込み装置本体３の形状に合わせた四角形の掘り込み２ａが加工される。掘り込み２ａに引込み装置本体３を差し込み、ねじ６で引込み装置本体３を開き戸２に固定する。引込み装置本体３には、アーム５が水平軸の回りを回転可能に設けられる。アーム５には、受座軸４を受け入れる溝５ａが形成される。アーム５が受座軸４を引き込むとき、受座軸４は溝５ａに嵌まったまま溝５ａに沿ってスライドする。
【００１３】
図３に示すように、受座軸４は、枠１の上部枠１ａの下面に取り付けられる。受座軸４は、受座本体７に支持されている。受座軸４と受座本体７とが受座８を構成する。上部枠１ａには、受座本体７の形状に合わせた二段階の深さを持つ断面四角形の掘り込み９が加工される。受座８は掘り込み９の中央にねじ１０で固定される。受座軸４は、その三次元的な位置（間口方向（左右方向）の位置、上下方向の位置、奥行き方向（前後方向）の位置）が調整できるようになっている。
【００１４】
引込み装置本体３の構造は以下のとおりである。図４は、引込み装置本体３の水平断面図を示す。引込み装置本体３は、ケース１１、ケース１１に組み込まれるアームベース１２、アームベース１２に回転可能に支持されるアーム５、アーム５に引き出される方向又は引き込まれる方向のトルクを与えるスライダクランク機構２１、アーム５が引き込まれるときの衝撃を緩和するダンパ機構２２、を備える。
【００１５】
スライダクランク機構２１は、第一のリンク１３、スライダ１４、コイルばね１５、ばねベース１６を備える。第一のリンク１３の一端部はアーム５にアーム５の回転軸から偏心した位置に連結され、第一のリンク１３の他端部はスライダ１４に連結される。スライダ１４はケース１１に一方向にスライド可能に支持される。コイルばね１５はスライダ１４とばねベース１６との間に介在し、スライダ１４に付勢力を与える。
【００１６】
ダンパ機構２２は、スライドブロック３１、ダンパ３２、ダンパベース３４、ダンパ調整軸３３を備える。スライドブロック３１には、アーム５のダンパ軸５ｃが通される長孔３１ａが形成される。スライドブロック３１はケース１１に一方向にスライド可能に支持される。アーム５が回転すると、スライドブロック３１が一方向にスライドする。ダンパ３２はスライドブロック３１とダンパベース３４との間に介在する。ダンパ３２には、本体部３２ａに対してロッド３２ｂがストロークする伸縮式のダンパが用いられる。アーム５が引き込まれる方向に回転するとき、ダンパ３２が縮まり、ダンパ力が発生する。このため、アーム５が引き込まれる方向に素早く回転しようとしても、ダンパ３２がアーム５をゆっくり回転させる。ケース１１には、ダンパベース３４が結合される。ダンパベース３４には、ダンパ３２の強さを調整するためのダンパ調整軸３３が組み込まれる。ダンパ調整軸３３を回転させることによって、ダンパ３２の本体部３２ａの位置が調整される。
【００１７】
引込み装置本体３の動きは以下のとおりである。アーム５は図５（ｃ）に示す引き出された状態から図５（ａ）に示す引込み状態まで回転する。図５（ｃ）に示す引き出された状態では、スライダクランク機構２１はアーム５にさらに引き出される方向にトルクを与える。このためアーム５の引き出された状態が保持される。受座軸４が引き出された状態のアーム５に当たると、図５（ｂ）に示すようにアーム５が引込み方向に回転する。アーム５がさらに引込み方向に回転し、スライダクランク機構２１の思案点を超えると、スライダクランク機構２１はアーム５に引込み方向のトルクを与える。これにより、アーム５が図５（ａ）に示す引込み状態まで自動的に回転する。引込み状態ではスライダクランク機構２１はアーム５にさらに引込み方向のトルクを与える。このためアーム５の引込み状態が維持される。
【００１８】
また、図５（ｃ）→図５（ｂ）→図５（ａ）に示すように、アーム５が引き出された状態から引込み状態まで回転するとき、スライドブロック３１がダンパ３２を縮めるので、ダンパ力が発生する。このため、アーム５が引込み方向にゆっくり回転する。
【００１９】
受座８の構造は以下のとおりである。図６は受座８の詳細図を示す。図６（ａ）は受座８の側面図を示し、図６（ｂ）は垂直断面図を示し、図６（ｃ）は底面図を示し、図６（ｄ）は化粧カバーを取り付けた受座８の底面図を示す。図６（ａ）に示すように、受座８は、受座軸４と、受座軸４を支持する受座本体７と、を備える。図６（ａ）及び図６（ｃ）に示すように、受座軸４はその間口方向（左右方向）の位置、上下方向の位置、奥行き方向（前後方向）の位置が調整できるようになっている。
【００２０】
図６（ｃ）に示すように、受座本体７は枠１の掘り込み９に差し込まれる。掘り込み９の間口方向の長さは、受座本体７の間口方向の長さよりも長い。受座本体７には、ねじ１０（図３参照）が通る長孔７ａが形成される。ねじ１０を緩め、受座本体７を間口方向にスライドさせることで受座軸４の位置を間口方向に調整することができる。調整後、ねじ１０を締めれば受座軸４が間口方向に固定される。
【００２１】
図６（ｂ）に示すように、受座軸４はコイルスプリング４１によって突出した状態で軸支持体４２に入れ子式に嵌められる。軸支持体４２の外周面にはねじ４２ａが形成されていて、軸支持体４２は受座本体７にねじで結合される。軸支持体４２を回転させることで受座軸４の上下方向の位置を調整できる。固定ナット４４（図６（ｃ）も参照）を緩めて軸支持体４２を右方向に回転させると、受座軸４が受座本体７内に引っ込む。軸支持体４２を左方向に回転させると、受座軸４が受座本体７から飛び出す。調整後、軸支持体４２の溝４２ａにマイナスドライバ等を差し込み、軸支持体４２が回転しないようにして、スパナ等で固定ナット４４を締めれば、軸支持体４２が受座本体７に上下方向に固定される。
【００２２】
なお、受座軸４と軸支持体４２との間にコイルスプリング４１を介在させるのは、アーム５が引込み状態になっても受座軸４がアーム５の溝５ａにはまるようにするためである。アーム５が引込み状態になった開き戸２を閉めると、受座軸４はアーム５の溝５ａの脇の傾斜部５ｂ（図２参照）を乗り越え、アーム５の溝５ａに嵌まる。受座軸４が傾斜部５ｂを乗り越えるとき、受座軸４がコイルスプリング４１を圧縮して引っ込む。その後、受座軸４はコイルスプリング４１のばね力によって突出し、アーム５の溝５ａに嵌まる。
【００２３】
図６（ｂ）に示すように、受座本体７は、軸支持体４２がねじで結合される調整体４５と、調整体４５に奥行き方向固定ねじ４７を介して結合されるベースプレート４６と、を備える。ベースプレート４６には、奥行き方向固定ねじ４７が通される奥行き方向に長い長孔（図示せず）が形成される。調整体４５とベースプレート４６との接触面４９には、ぎざぎざ（連続した凹凸）が形成される。奥行き方向固定ねじ４７を緩めれば、受座軸４の奥行き方向の位置を調整できるようになっている。調整後、奥行き方向固定ねじ４７を締めれば、受座軸４が奥行き方向に固定される。図６（ｄ）に示すように、受座軸４の位置を調整した後、受座本体７は化粧カバー４８で覆われる。
【００２４】
位置調整治具の構造は以下のとおりである。図７は、本実施形態の位置調整治具５１の斜視図を示す。位置調整治具５１は、引込み装置本体３に位置決めされる四角形の本体部５２と、本体部５２から張り出す台形の突出部５４と、を備える。位置調整治具５１は、樹脂の成形品であり、本体部５２と突出部５４とは一体に形成される。突出部５４の先端には、受座軸４を位置決めするための位置決め部としての位置決め凹部５５が形成される。
【００２５】
図８は、位置調整治具５１の詳細図を示す。図８（ａ）は位置調整治具５１の平面図、図８（ｂ）は正面図、図８（ｃ）は底面図、図８（ｄ）は左側面図、図８（ｅ）は右側面図を示す。図８（ａ）に示すように、本体部５２は、四角形に形成される。図８（ｃ）に示すように、本体部５２の下面には、引込み装置本体３に嵌められる第一のボス５６及び第二のボス５７が設けられる。本体部５２を補強するために、本体部５２の下面には、格子状のリブ５３が形成される。図９に示すように、第一のボス５６が引込み装置本体３のアーム５以外の部分であるケース１１の凹部６１に嵌まり、第二のボス５７が引込み状態のアーム５の凹部６２に嵌まる。位置調整治具５１はアーム５が引込み状態の引込み装置本体３に位置決めされる。アーム５が引き出された状態では、第二のボス５７がアーム５の凹部６２に嵌まらず、位置調整治具５１を引込み装置本体３に位置決めできないようになっている。
【００２６】
図１０は、引込み装置本体３の上面に位置決めされた位置調整治具５１を示す。図１０（ｃ）の平面図及び図１０（ａ）の断面図に示すように、位置調整治具５１の本体部５２の下面（リブ５３の先端）が引込み装置本体３の上面に接し、位置調整治具５１は引込み装置本体３の上面に位置決めされる。図１０（ａ）に示すように、アーム５は引込み装置本体３のケース１１よりも一段高い位置にあるので、アーム５に接するリブ５３ａの高さがケース１１に接するリブ５３ｂの高さよりも低くなっている。
【００２７】
図９に示すように、位置調整治具５１の突出部５４は本体部５２からアーム５の引出し方向に突出する。突出部５４の先端には、アーム５が受座軸４を引き込めるように受座軸４を位置決めするための位置決め凹部５５が形成される。位置決め凹部５５の位置はアーム５が引き出されたと仮定したときのアーム５の溝５ａの先端の位置に一致する。このため、位置決め凹部５５に受座軸４を位置決めすれば、アーム５の溝５ａの先端に受座軸４を収めることが可能になる。図８（ａ）に示すように、位置決め凹部５５は受座軸４の形状に合わせた半円筒形に形成される。受座軸４の先端部に小径部４ａ（図６（ａ）参照）が形成されるので、位置決め凹部５５の下部にも小径部５５ａ（図８（ｂ）参照）が形成される。図８（ａ）に示すように、突出部５４を補強するために、突出部５４の上面には、格子状のリブ５４ａが形成される。
【００２８】
図８（ｅ）に示すように、突出部５４の下面５４ｂは本体部５２の下面５２ｂよりも一段下がっていて、突出部５４の下面５４ｂと本体部５２の下面５２ｂとは平行である。突出部５４の下面５４ｂは受座軸４を上下方向に位置決めするための上下方向の位置決め部として機能する。受座軸４を上下方向に位置決めするとき、位置決め凹部５５に嵌められた受座軸４の先端が突出部５４の下面５４ｂと同一平面になるように受座軸４が位置決めされる。
【００２９】
図８（ａ）に示すように、突出部５４の平面形状は台形である。突出部５４の先端側の一辺５４ｃは本体部５２と平行である。突出部５４には、嵌合部６３及び穴６４が形成される。嵌合部６３及び穴６４は図６（ｃ）に示す受座軸４、受座軸４の左右の奥行き方向固定ねじ４７に対応する。嵌合部６３は受座軸４の先端部の形状に一致する段付き穴に形成される。嵌合部６３には受座軸４が嵌められる。嵌合部６３の隣の穴６４は、嵌合部６３に受座軸４を嵌め、ドライバを通して奥行き方向固定ねじ４７を締めることができるように空けられる。
【００３０】
以下に図９ないし図１８を参照しつつ本実施形態の位置調整治具５１の使用方法を説明する。開き戸２には引込み装置本体３が埋め込まれている。枠１には受座軸４（図１１参照）が仮止めされていて、受座軸４は三次元的な位置、すなわち間口方向（左右方向）の位置、上下方向の位置、奥行き方向（前後方向）の位置が調整可能になっている。
【００３１】
受座軸４の間口方向の位置調整方法は以下のとおりである。図９に示すように、まず、位置調整治具５１の本体部５２の第一のボス５６及び第二のボス５７を引込み装置本体３の凹部６１，６２に嵌め、引込み装置本体３に位置調整治具５１を位置決めする。その後、図１１に示すように、開き戸２を少しずつ閉め、位置調整治具５１の位置決め凹部５５を受座軸４に近づける。次に、図１２及び図１３に示すように、受座８を枠１の間口方向にスライドさせ位置決め凹部５５に受座軸４が嵌まるようにする。位置決め凹部５５に受座軸４を位置決めすれば、引き出された状態のアーム５の溝５ａに受座軸４が収まるようになる。受座軸４の間口方向の位置を調整したら緩めたねじ１０（図３参照）を締めて受座軸４を枠１に間口方向に固定する。
【００３２】
受座軸４の上下方向の位置調整方法は以下のとおりである。図１４に示すように、受座軸４の下端が位置調整治具５１の突出部５４の下面５４ｂと同一平面になるように軸支持体４２を回転して受座軸４の上下方向の位置を調整する。受座軸４を上下方向に位置決めすれば、受座軸４の先端がアーム５の溝５ａ（図２参照）の底面に位置するようになる。受座軸４の上下方向の位置を調整したら固定ナット４４（図６（ｂ）参照）を締めて受座軸４を上下方向に固定する。
【００３３】
受座軸４の奥行き方向の位置調整方法は以下のとおりである。図１６に示すように、位置調整治具５１を引込み装置本体３から外す。次に、図１６に示すように、位置調整治具５１の嵌合部６３を受座軸４に嵌める。そして、図１７及び図１８に示すように、位置調整治具５１の突出部５４の先端側の一辺５４ｃの一辺を枠１の戸当たり１ｃに突き当てる。戸当たり１ｃから受座軸４までの距離を一定にすることで、開き戸２を閉じたとき、引込み装置本体３に対する受座軸４の奥行き方向の位置を一定にすることができる。開き戸２には引込み装置本体３の奥行き方向の位置が一定になるように掘り込みが形成されている。受座軸４を奥行き方向に位置決めすれば、アーム５が引込み状態になっても受座軸４がアーム５の溝５ａに嵌まるようになる。受座軸４の上下方向の位置を調整したらねじを締めて受座軸４を奥行き方向に固定する。以上により受座軸４の三次元的な位置決めが可能になる。受座軸４の位置決めが完了したら、位置調整治具５１を外し、受座８に化粧カバー４８（図６（ｄ）参照）を取り付ける。
【００３４】
なお、本発明は上記実施形態に具現化されるのに限られることはなく、本発明の要旨を変更しない範囲で様々な実施形態に変更できる。
【００３５】
上記実施形態では、開き戸の右側が吊元になっている例が示されているが、開き戸の左側が吊元になってもよい。
【００３６】
上記実施形態では、枠に受部を取り付け、開き戸に引込み装置本体を取り付けた例を説明したが、枠に引込み装置本体を取り付け、開き戸に受部を取り付けてもよい。
【００３７】
上記実施形態では、アームに溝を設け、受部としてアームの溝に嵌まる受座軸を使用した例を説明したが、アームの先端に軸を設け、受部にアームの軸に嵌まる溝を設けてもよい（アームの先端に軸を設け、受部にアームの軸に嵌まる溝を設けた引込み装置は、例えば出願人が公開した国際公開第２０１１−１４２０４６号の図１に示されている）。
【００３８】
上記実施形態では、引込み装置本体が開き戸の上部に埋め込まれている例を説明したが、引込み装置本体は開き戸の側面に露出した状態で取り付けられてもよい。
【００３９】
上記実施形態では、位置調整治具にボスを設け、引込み装置本体に凹部を設けているが、位置調整治具に凹部を設け、引込み装置本体にボスを設けてもよい。
【００４０】
上記実施形態では、位置調整治具の窪んだ位置決め凹部を位置決め部として利用しているが、受部を位置決めできれば、基準線等の印、色分け、突出部の先端（受部に溝を形成した場合、突出部の先端が溝に嵌まれば受部を位置決めできる）等を位置決め部として利用することもできる。
【００４１】
上記実施形態では、位置調整治具の突出部の下面を上下方向位置決め部として利用しているが、突出部に形成した基準線等の印、色分け等を上下方向位置決め部として利用することもできる。また、位置調整治具の上下方向位置決め部を省略することもできる。
【００４２】
上記実施形態では、位置調整治具の突出部に奥行き方向の位置決め機能を持たせているが、奥行き方向の位置決め機能を省略することもできる。
【００４３】
上記実施形態では、アームの引込み状態で受部を位置決めしているが、アームを引き出した状態で受部を位置決めすることもできる。
【００４４】
上記実施形態では、位置調整治具にボスを設け、引込み装置本体のアーム及びアーム以外の部分それぞれに位置調整治具のボスが嵌まる凹部を設けているが、引込み装置本体のアーム及びアーム以外の部分それぞれにボスを設け、位置調整治具に引込み装置本体のボスが嵌まる凹部を設けてもよい。また、引込み装置本体のアーム及びアーム以外の部分のいずれか一方にボスを設け、他方に凹部を設けてもよい。
【００４５】
上記実施形態では、受部の間口方向及び上下方向の位置決めをし、その後、受部の奥行き方向の位置決めをしているが、位置調整治具を引込み装置本体から取り外した状態で受部の奥行き方向の位置決めをし、その後、位置調整治具を引込み装置本体に位置決めし、受部の間口方向及び上下方向の位置決めをすることもできる。
【符号の説明】
【００４６】
１…枠
２…開き戸
３…引込み装置本体
４…受座軸（受部）
５…アーム
５１…引込み装置用位置調整治具
５２…本体部
５４…突出部
５４ｂ…突出部の下面（上下方向位置決め部）
５４ｃ…突出部の先端側の一辺
５５…位置決め凹部（位置決め部）
６３…嵌合部
【図１】
2014202054.tif 000003
【図２】
2014202054.tif 000004
【図３】
2014202054.tif 000005
【図４】
2014202054.tif 000006
【図５】
2014202054.tif 000007
【図６】
2014202054.tif 000008
【図７】
2014202054.tif 000009
【図８】
2014202054.tif 000010
【図９】
2014202054.tif 000011
【図１０】
2014202054.tif 000012
【図１１】
2014202054.tif 000013
【図１２】
2014202054.tif 000014
【図１３】
2014202054.tif 000015
【図１４】
2014202054.tif 000016
【図１５】
2014202054.tif 000017
【図１６】
2014202054.tif 000018
【図１７】
2014202054.tif 000019
【図１８】
2014202054.tif 000020